(57)【要約】【課題】  光軸上の第１の位置と光軸外に退避する第２の位置とを移動可能なレンズ鏡筒が、第１の位置に進入したときに、レンズ鏡筒の傾きを調整できるようにする。【解決手段】  光軸方向に対して略直交する軸を回転軸（１４ａ）として、光軸上に配置される第１の位置と非撮影時に光軸上から退避する第２の位置との間を移動可能なレンズユニット（１４）を有するカメラであって、第１の位置を、略光軸方向に調整可能な位置調整手段（１０x）を有することを特徴とする。【選択図】  図１４
2006171289.tif 000002
【特許請求の範囲】
【請求項１】
非撮影時にカメラ本体に対しレンズ鏡筒が沈胴するカメラにおいて、
光軸に対して直交する軸を回転軸として、前記光軸上に設けられた第１の位置と前記光軸外に設けられた第２の位置との間を移動可能なレンズユニットと、
前記第１の位置を前記光軸に平行な方向に調整する位置調整手段と、を有することを特徴とするカメラ。
【請求項２】
光通過光量を調節する光量調節ユニットを有し、
前記レンズユニットおよび前記光量調節ユニットは、前記第１の位置において当接し、
前記位置調整手段は、記光量調節ユニットを前記光軸に平行な方向に相対移動させることを特徴とする請求項１に記載のカメラ。
【請求項３】
光軸方向に進退し、前記レンズユニット及び前記光量調節ユニットを保持する鏡筒構成部材と、
前記光量調節ユニットを前記鏡筒構成部材に締結する締結部材とを有し、
前記光量調節ユニットは、前記締結部材を操作することにより、前記鏡筒構成部材に対して前記光軸に平行な方向に相対移動することを特徴とする請求項２に記載のカメラ。
【請求項４】
前記光量調節ユニット及び前記回転軸は、光軸に平行な方向において異なる位置に配置されていることを特徴とする請求項１から３のいずれか一つに記載のカメラ。
【請求項５】
前記レンズユニットには、該レンズユニットを前記第２の位置から前記第１の位置に回転させるため付勢手段が設けられていることを特徴とする請求項１から４のいずれか一つに記載のカメラ。
【請求項６】
該カメラには、像面側に退避する前記レンズユニットに当接して、該レンズユニットを前記第１の位置から前記第２の位置へ回転させる第１の凸部が設けられていることを特徴とする請求項１から５のいずれか一つに記載のカメラ。
【請求項７】
該カメラには、前記レンズユニットが前記第２の位置に退避した状態で、像面側に退避する前記光量調節ユニットに当接し、該光量調節ユニットを前記鏡筒構成部材に対して光軸に平行な方向に相対移動させる第２の凸部が設けられていることを特徴とする請求項１から６のいずれか一つに記載のカメラ。
【請求項８】
非撮影時にカメラ本体に対しレンズ鏡筒が沈胴するカメラにおいて、
光軸上に設けられた第１の位置と前記光軸外に設けられた第２の位置との間を移動可能なレンズユニットと、
前記レンズユニットが前記第１の位置に移動した際、前記レンズユニットに当接する当接部を有する光量調節ユニットと、
前記光量調節ユニットを前記光軸に平行な方向に調整する位置調整手段と、を有することを特徴とするカメラ。
【請求項９】
光軸方向に進退し、前記レンズユニット及び前記光量調節ユニットを保持する鏡筒構成部材と、
前記光量調節ユニットを前記鏡筒構成部材に締結する締結部材とを有し、
前記光量調節ユニットは、前記締結部材を操作することにより、前記鏡筒構成部材に対して前記光軸に平行な方向に相対移動することを特徴とする請求項８に記載のカメラ。
【請求項１０】
前記光量調節ユニット及び前記回転軸は、光軸に平行な方向において異なる位置に配置されていることを特徴とする請求項８または９に記載のカメラ。
【請求項１１】
前記レンズユニットには、該レンズユニットを前記第２の位置から前記第１の位置に回転させるため付勢手段が設けられていることを特徴とする請求項８から１０のいずれか一つに記載のカメラ。
【請求項１２】
該カメラには、像面側に退避する前記レンズユニットに当接して、該レンズユニットを前記第１の位置から前記第２の位置へ回転させる第１の凸部が設けられていることを特徴とする請求項８から１１のいずれか一つに記載のカメラ。
【請求項１３】
該カメラには、前記レンズユニットが前記第２の位置に退避した状態で、像面側に退避する前記光量調節ユニットに当接し、該光量調節ユニットを前記鏡筒構成部材に対して光軸に平行な方向に相対移動させる第２の凸部が設けられていることを特徴とする請求項８から１２のいずれか一つに記載のカメラ。
【発明の詳細な説明】
【技術分野】
【０００１】
本発明は、カメラの撮影光学系を構成するレンズを退避させる構造に関する。
【背景技術】
【０００２】
近年、デジタルカメラに対する小型化の要請が強くなっており、レンズ鏡筒の格納領域への駆動量を増加させるために、光学系の一部のレンズユニットを光軸に直交する方向に退避させる薄型カメラが提案されている（例えば、特許文献１参照）。
また、その退避するレンズユニットが、光軸に略直交するように構成したカメラが提案されている（例えば、特許文献２参照)
さらに、撮影光学系の一部を光軸方向後方へ駆動しながら、光軸に平行な軸周りに回転させることにより、沈胴領域に退避させた薄型カメラが提案されている（例えば、特許文献３参照)。
【特許文献１】特開２００３−１４９７２３号公報（段落００１８、段落００２８、第１図、第６図等）
【特許文献２】特公平７−１１６１５号公報（発明の実施例１０〜１５行等）
【特許文献３】特開２００４−２３３９２１号公報（第２９図）
【発明の開示】
【発明が解決しようとする課題】
【０００３】
しかしながら、特許文献１に記載のカメラでは、ズーム動作の際に移動しない（ズームカム環に駆動されない）鏡筒を退避させている。具体的には、２群タイプの後群、３群タイプの３群などのような、光学系全体において比較的厚みの薄い部分を退避させているため、その退避動作による、沈胴量が比較的少なく、カメラが十分に小型化されているとはいえない。
【０００４】
また、特許文献２において退避させているレンズは、「インナーコンバーターレンズ」であり、通常撮影中に常用する光学系ではないため、沈胴長を増加させるのに不適当である。
【０００５】
カメラを小型化するために、例えば３群タイプでは、群厚の薄い３群より、群厚の厚い２群を考慮したほうが、より沈胴長を短縮する上で有利である。但し、１群については、外圧対策、退避時の隙間の問題より、光軸上から退避させるのが難しい。したがって、沈胴長を極力薄くするためには、２群を退避させるのが、最も好ましい。
【０００６】
また、２群は、光学系の中心の為、一般的に光量調整ユニットを有している。この光量調整ユニットは、１群側では無く、３群側に配置するタイプの方が、ズーム動作時、１群と２群との間の最短距離を短く設定することができるため、光学系全体の小型化に有利である。
【０００７】
つまり、沈胴時により薄い鏡筒とするためには、３群タイプの光学系の場合、２群のピント面側に光量調整ユニットを配置し、その２群を退避させる構成が好ましいと考えられる。
【０００８】
そこで、光軸に直交する方向に延びる回転軸周りに第２レンズ鏡筒２１４を回転させる構成が考えられる。例えば、図１５、図１６に示すように、第２レンズ鏡筒２１４に径方向外側に延びるストッパ部２１４aを設け、このストッパ部２１４aを光軸方向から第２駆動リング２０６に直接当接させる事により、第２レンズ鏡筒２１４の傾き誤差を小さくすることができる。
【０００９】
ところが、上述の構成では、図１７に示すように、退避時にストッパ２１４aがカメラの外側に突出し、他の部品と干渉するおそれがあるため、採用することはできない。
【００１０】
このため、第２レンズ鏡筒２１４のストッパは、光量調整ユニットに当接させる必要がある。ところが、該ストッパを光量調整ユニットに当接させた場合、第１に光量調整ユニットと該ストッパの当接位置のバラツキ、第２に光量調節ユニットの光軸方向の厚み寸法、第３に光量調節ユニットの傾きのバラツキ、第４に第２レンズ鏡筒２１４を回転させる回転軸位置のバラツキという問題が生じ、結果として第２レンズ鏡筒２１４の傾きに誤差を与えるおそれがある。
【００１１】
また、特許文献３では、退避位置から光軸上に進入したレンズ鏡筒の位置を、偏芯軸部材を回転させることにより、光軸直交方向に調整できるようにしている。しかしながら、この構成では、光軸方向への調整、すなわち、レンズ鏡筒の傾きを調整することはできない。
【００１２】
そこで、本願発明は、非撮影時に光軸上から退避し、撮影時に光軸上に進入するレンズ鏡筒を有するカメラにおいて、光軸上に進入したレンズ鏡筒の傾きを調整できるようにすることを目的の一つとする。
【課題を解決するための手段】
【００１３】
上記課題を解決するために、本願発明は一つの観点として、非撮影時にカメラ本体に対しレンズ鏡筒が沈胴するカメラにおいて、光軸に対して直交する軸を回転軸として、光軸上に設けられた第１の位置と光軸外に設けられた第２の位置との間を移動可能なレンズユニットと、第１の位置を光軸に平行な方向に調整する位置調整手段と、を有することを特徴とする。
【００１４】
更に、本願発明は、別の観点として、非撮影時にカメラ本体に対しレンズ鏡筒が沈胴するカメラにおいて、光軸上に設けられた第１の位置と光軸外に設けられた第２の位置との間を移動可能なレンズユニットと、レンズユニットが第１の位置に移動した際、レンズユニットに当接する当接部を有する光量調節ユニットと、光量調節ユニットを光軸に平行な方向に調整する位置調整手段と、を有することを特徴とする。
【発明の効果】
【００１５】
本願発明によれば、光軸上に設けられた第１の位置を光軸方向に調整できるため、第１の位置におけるレンズユニットの傾きを調整することができる。
【発明を実施するための最良の形態】
【００１６】
以下、図面を参照しながら、本発明の実施例について説明する。
まず、図１〜図４を参照して本発明の実施例であるカメラの構成について説明する。ここで、図１は、カメラの正面斜視図であり、図２はレンズ鏡筒A１がテレ端に位置するときの光軸方向を含む断面図であり、図３はレンズ鏡筒A１がワイド端に位置するときの光軸方向を含む断面図であり、図４はレンズ鏡筒A１が沈胴状態にあるときの光軸方向を含む断面図である。
【００１７】
これらの図において、Ａ１はレンズ鏡筒であり、第１レンズ鏡筒４、直進筒５、回転筒９及び固定筒１３を有している。
【００１８】
第１のレンズ鏡筒４には、物体側から順に先端キャップ１、バリアカバー２及びレンズバリア３が取り付けられており、第１レンズ群L１を保持している。また、第１のレンズ鏡筒４の内周面には、径方向内側に突出する第１カムピン４aが周方向３箇所に形成されている。
【００１９】
回転筒９の内周面には、直進溝部９ｂが光軸方向に延びるようにして形成されており、外周面には、ヘリコイド溝部９ｃを有するギヤ部９aが形成されている。固定筒１３の内周面には、回転筒９に形成されたヘリコイド溝部９ｃに係合するヘリコイド突起部１３ｃが設けられている。
【００２０】
６は第２駆動リング（鏡筒構成部材）であり、この第２駆動リング６の外周面には周方向３箇所に第２カムピン６aが設けられている。第２駆動リング６は、第２レンズ鏡筒１４（レンズユニット）を光軸直交方向軸周りに回転可能に保持するとともに光量調節装置１０を保持しているが、詳細については後述する。
【００２１】
７は第１カム環であり、この第１カム環７の外周面には第１カム溝部７aが周方向３箇所に形成されており、第１レンズ鏡筒４の第１カムピン４aが係合している。また、第１カム環７の内周面には、第２カム溝部７ｂが周方向３箇所に形成されており、第２駆動リング６の第２カムピン６aが係合している。
【００２２】
さらに、第１カム環７の外周面には、径方向外側に突出する連結ピン８が設けられており、この連結ピン８は、第２カム環１２に形成されたカム溝部１２aを通って、回転筒９の直進溝部９ｂに係合している。
【００２３】
１１は、第２駆動リング６の光軸方向後端部に設けられた直進キー板金であり、第２カム環１２の内周面に形成された直進溝部１２ｂに係合している。これにより、第２駆動リング６の回転動作が制限される。
【００２４】
１４は第２レンズ鏡筒（レンズユニット）であり第２レンズ群L２を保持している。この第２レンズ鏡筒１４は、沈胴時に光軸上の撮影位置から退避するが、詳細については後述する。
【００２５】
１５は第３レンズ鏡筒であり、第３レンズ群L３を保持している。１７は撮像素子（例えば、CCDセンサ、CMOSセンサ）であり、撮像面に結像した被写体像を光電変換して、電気信号として出力する。L４はローパスフィルタであり、モアレ等の不具合を阻止する。
【００２６】
次に、図２から図４を参照して、本実施例のカメラのモードが撮影状態から非撮影状態（沈胴状態）に切り替わるときの、レンズ鏡筒の動作について説明する。
【００２７】
図３に示すワイド状態において、不図示のモータ（例えば、PZモータ)から駆動力を受けて、回転筒９が光軸周りに回転すると、回転筒９に形成された直進溝部９ｂと第１カム環７に固定された連動ピン８との係合作用により、第１カム環７が光軸周りに回転する。なお、連結ピン８が係合するカム溝部１２aには、ズーム領域において、第１のカム環７が光軸方向に移動しないように、定位置カムが設けられている。
【００２８】
そして、回転駆動される第１のカム環７の外周面に形成された第１カム溝部７aと第１レンズ鏡筒４の内周面に設けられた第１カムピン４ａとの係合作用により、第１レンズ鏡筒４は物体側に移動する。このとき、固定筒１３の内周面に形成された直進溝部１３aに係合する第２カム環１２ｃ及び第２カム環１２ｃの内周面に形成された直進溝部１２ｂに係合する直進筒５により、第１レンズ鏡筒４は、回転動作が禁止される。
【００２９】
また、回転駆動される第１カム環７の内周面に形成された第２カム溝部７ｂと第２駆動リング６の外周面に設けられた第２カムピン６aとの係合作用により、第２駆動リング６は物体側に移動する。このとき、回転を阻止された第２カム環１２の内周面に形成された直進溝部１２bに対して直進キー板金１１が係合することにより、第２駆動リング６の回転動作が禁止される。
【００３０】
その結果、第２駆動リング６とともに第２レンズ鏡筒１４及び光量調節装置１０が、物体側に移動する。
【００３１】
次に、本実施例のカメラが撮影状態（ワイド端）から非撮影状態に切り替わるときの、レンズ鏡筒の動作について説明する。
【００３２】
図３に示す、ワイド状態において、不図示のモータ（例えば、PZモータ）が駆動され、この駆動力が回転筒９に伝達されると、回転筒９は光軸周りに回転する。このとき、回転筒９の外周面に形成されたヘリコイド溝部９ｃと固定筒１３の内周面に形成されたヘリコイド突起１３ｃとの係合作用により、ワイド端に位置する回転筒９は、像面側へ退避動作を開始する。
【００３３】
そして、第２カム環１２に形成されたカム溝部１２aと連結ピン８との係合作用により、連結ピン８が固定された第１カム環７は、像面側に退避する。
この時、第１レンズ鏡筒４は、第１カム環７の回転動作に応じてピント方向に相対移動するカム溝を有しており、その分がさらに上乗せされたスピードで像面側に退避する。第２駆動リング６は、沈胴時の動きが、第１カム環７に対して、前玉側に繰り出るカム溝を有しており、第１カム環７の回転動作に応じて、前玉方向に移動するが、この移動スピードよりも第１カム環７の退避スピードのほうが速いため、結果として、第２駆動リング６は、像面側に駆動されることになる。
【００３４】
次に、図５から図８を参照して、撮影モード及び非撮影モードにおける第２駆動リング６及び第２レンズ鏡筒１４の配置について説明する。
【００３５】
ここで、図５は、レンズ鏡筒が図３のワイド端に位置するときの、光軸直交方向の断面図であり、図６は、図５の破線部Bにおけるレンズ鏡筒の断面図であり、図７は光量調節ユニットの拡大図であり、図８は、図５の破線部Cにおけるレンズ鏡筒の断面図である。
【００３６】
図５、図６において、第２鏡筒リング６には、光軸方向に対して略直交する方向に延びる回転軸１４ａが２つ設けられており、第２レンズ鏡筒１４は、これらの回転軸１４ａに回転可能に支持されている。これにより、沈同時において、第２レンズ鏡筒１４は、回転軸１４a周りに回転して、図５の破線位置に退避するが、詳細については後述する。
【００３７】
ここで、図９において、第２レンズ鏡筒１４は、戻しバネ２０（付勢手段）により反時計周り方向に付勢されているため、撮影状態では、第２レンズ鏡筒１４の光軸方向後端部に設けられた凸部１４ｃ（図６参照）が、戻しバネ２０のバネ力によって、光量調節ユニット１０に当接する。
【００３８】
図８において、１８は光軸方向に延びるガイドバーであり、第２駆動リング６に保持されている。このガイドバー１８には、光量調節ユニット１０が係合しており、この光量調節ユニット１０の光軸直交方向の端部には、第２駆動リング６の凸部６ｃが係合する回転止めとしてのU字溝部１０ｄ（図５参照）が形成されている。
【００３９】
さらに、第２駆動リング６と光量調節ユニット１０との間には、バネ１９がチャージされた状態で組み込まれており、このチャージされたバネ１９のバネ力により、光量調節ユニット１０は、像面側に付勢される。１０Xは、光量調節ユニット１０を第２駆動リング６に締結する調整ネジ（締結部材）である。この調整ネジ１０Xの頭部に形成された溝部にマイナスドライバを突き当て回転させることにより、光量調節ユニット１０の位置を光軸方向に調整することができる。  
【００４０】
なお、この調整ネジ１０Xによって光量調節ユニット１０は、第２駆動リング６に対して締結されるが、像面側から力を加えることにより、バネ１９のバネ力に抗して、光軸方向前方に移動させることができる。
【００４１】
次に、図９乃至図１２を参照して、第２レンズ鏡筒１４がワイド位置から沈胴位置に退避するときの動作について説明する。ここで、図９乃至図１２は、ワイド位置から沈胴位置に退避するときの第２レンズ鏡筒１４の動作説明図である。なお、図９はワイド状態、図１２は沈胴状態を示している。
【００４２】
図９のワイド位置に退避した第２駆動リング６が、不図示のモータ（例えば、PZモータ）の駆動力を受けてさらに光軸方向後方に駆動されると、第２レンズ鏡筒１４の光軸方向後端部に設けられた凸状の当接部１４ｂと固定筒１３に設けられた光軸方向に延びる第１のリブ１６a（第１の凸部）とが当接する。
【００４３】
ここで、第１のリブ１６aの先端部は、カメラ上方にいくに従い漸次、光軸方向の寸法が短くなるように設定されている。このため、当接部１４ｂが第１のリブ１６aに当接した状態で、第２レンズ鏡筒１４が光軸方向後方に駆動されると、当接部１４ｂは第１のリブ１６a上を摺動しながら上方へ移動する。その結果、図１０に示すように、第２レンズ鏡筒１４は、戻しバネ２０のバネ力に抗して、光軸方向後方に退避しながら、回転軸１４aを中心として、時計周り方向に回転動作を開始する。
【００４４】
この図１０に示す状態から、第２駆動リング６が光軸方向後方に駆動されると、第２レンズ鏡筒１４は、時計回りに方向にさらに回転し、図１１に示すように第２レンズ鏡筒１４の中心軸Mと光軸Lとが略直交するような位置（第２の位置）まで駆動される。
【００４５】
ここで、図９から図１１に示すように、光量調節ユニット１０及び回転軸１４aは、光軸方向において異なる位置に配置されており、回転軸１４aは、光量調節ユニット１０よりも寸法Xだけ光軸方向後方に配置されている。このように、光量調節ユニット１０及び回転軸１４aの光軸方向における位置を異ならせることにより、これらの干渉を考慮する必要がなくなり、レンズ鏡筒を主として径方向に小型化することができる。
【００４６】
上述の第１のリブ１６aに隣接する光軸側の位置には、第１のリブ１６ａよりも光軸方向の寸法が短い第２のリブ１６ｂ（第２の凸部）が設けられており、この第２のリブ１６ｂは、光軸方向視において光量調節ユニット１０と重複する位置に配置されている。
【００４７】
したがって、図１１に示す状態から、第２駆動リング６が光軸方向後方に駆動されると、光量調節ユニット１０の像面側の端部が第２のリブ１６ｂに当接し、光量調節ユニット１０が停止する。
【００４８】
そして、光量調節ユニット１０が停止した状態で、第２駆動リング６及び第２レンズ鏡筒１４が光軸方向後方に退避し、図１２に示すように光量調節ユニット１０と回転軸１４ａとの間の寸法がXからYに増加する。このように、本実施例では、第２レンズ鏡筒１４の回転動作が終了したあと、さらに第２駆動リング６及び第２レンズ鏡筒１４を像面側に駆動できるようにしている。これにより、カメラを主として光軸方向に小型化することができる。
以上により、レンズ鏡筒Ａ１の退避動作が終了する。
【００４９】
ここで、種々の要因から光量調節ユニット１０の光軸方向の位置に誤差（例えば、矢印１０ｙ方向）が生じることがある。そして、このような誤差は、撮影時において、図１２の沈銅位置（第２の位置）から光軸上の撮影位置（第１の位置）に進入した第２レンズ鏡筒１４の傾きに影響を与え、光学性能を損なうおそれがある。例えば、光量調節ユニット１０の位置が矢印１０ｙ方向に誤差を生じた場合、光量調節ユニット１０及び第２レンズ鏡筒１４の当接位置が矢印１０ｙ方向にシフトするため、矢印１４ｙ方向に第２レンズ鏡筒１４は、傾く。
【００５０】
なお、このような矢印１４ｙ方向への傾きが起こる要因として、例えば、光量調節ユニット１０の位置が像面側にズレている場合、光量調整ユニットの光軸方向の厚み寸法が短い場合が考えられる。
【００５１】
そこで、本実施例では、光量調節ユニット１０を光軸方向に移動させることにより、光量調節ユニット１０及び第２レンズ鏡筒１４の当接位置を変更し、結果として、第２レンズ鏡筒１４の傾きを調整できるようにしている。
【００５２】
すなわち、調整ネジ１０Xの頭部に形成された溝部にマイナスドライバを突き当てて回転させると、光量調節ユニット１０が光軸方向に移動する。その結果、光量調節ユニット１０及び第２レンズ鏡筒１４の当接位置が変わるため、第２レンズ鏡筒１４の傾きを観察しながら、調整ネジ１０Xを操作することにより、第２レンズ鏡筒１４の傾きを調整することができる。これにより、カメラの光学性能を一定のレベルに保つことができる。
【００５３】
なお、本実施例では、第２レンズ鏡筒１４の傾きを調整するために、光量調節ユニット１０を光軸方向に移動させているが、光量調整ユニットの光軸方向の誤差は、光学性能に与える影響が少ない。したがって、光量調整ユニット１０の光軸方向における位置調整よりも、第２レンズ鏡筒の傾き補正を優先したとしても、光学性能に影響を与えるおそれは少ない。
【００５４】
すなわち、本実施例では、光軸方向における配置位置の自由度が高い光量調節ユニット１０を移動させることにより、第２レンズ鏡筒１４の傾きを補正しているため、光量調節ユニット１０に対して光量の調節及び光学調整という２つの役割を持たせることができる。これにより、光学調整用の調整部材（例えば、沈胴位置から光軸上に進入した第２レンズ鏡筒に当接するピン）を別に設ける必要がなくなり、コストを削減できる。
【００５５】
なお、上述の実施例の構成と異なり、第２レンズ群L２の光軸と第１レンズ群L１の光軸とが平行を保つように、第２レンズ鏡筒１４を回転駆動するようにしてもよい。また、光軸に平行な回転軸を設け、この回転軸周りに第２レンズ鏡筒１４を回転駆動するようにしてもよい。
【図面の簡単な説明】
【００５６】
【図１】本発明の実施例であるカメラの外観斜視図
【図２】テレ端におけるレンズ鏡筒の断面図
【図３】ワイド端におけるレンズ鏡筒の断面図
【図４】沈胴位置におけるレンズ鏡筒の断面図
【図５】第３図のＡ視図
【図６】図５の破線部Bにおけるレンズ鏡筒の断面図
【図７】光量調節ユニットの拡大図
【図８】図５の破線部Cにおけるレンズ鏡筒の断面図である。
【図９】第２駆動リングの動作説明図（ワイド状態）
【図１０】第２駆動リングの動作説明図（ワイド状態と沈胴状態の中間）
【図１１】第２駆動リングの動作説明図（ワイド状態と沈胴状態の中間）
【図１２】第２駆動リングの動作説明図（沈胴状態）
【図１３】回転動作のみで、最適収納位置に退避させた場合の光量調節ユニットと退避したレンズ鏡筒の干渉を説明した図
【図１４】光量調節ユニットの光軸方向位置ずれによる第２レンズ鏡筒の傾きを示した図
【図１５】ストッパを設けた第２レンズ鏡筒の光軸直交方向の断面図
【図１６】１５図の光軸方向を含む断面図（撮影時）
【図１７】１５図の光軸方向を含む断面図（沈胴時）
【符号の説明】
【００５７】
１  先端キャップ
２  バリアカバー
３  レンズバリア      
４  第１レンズ鏡筒
５  直進筒     
６  第２駆動リング
７  第1カム環
８  連結ピン
９  回転筒
１０  光量調節ユニット
１０ｘ  調整ネジ
１１  直進キー板金
１２  第２カム環
１３  固定筒
１４  第２レンズ鏡筒
１５  第３レンズ鏡筒  
１７  撮像素子
１８  ガイドバー
１９  バネ
２０  戻しバネ
Ｌ１  第１レンズ群    
Ｌ２  第２レンズ群
Ｌ３  第３レンズ群
Ｌ４  ローパスフィルタ
２０６  第２駆動リング
２１４  第２レンズ鏡筒
【図１】
2006171289.tif 000003
【図２】
2006171289.tif 000004
【図３】
2006171289.tif 000005
【図４】
2006171289.tif 000006
【図５】
2006171289.tif 000007
【図６】
2006171289.tif 000008
【図７】
2006171289.tif 000009
【図８】
2006171289.tif 000010
【図９】
2006171289.tif 000011
【図１０】
2006171289.tif 000012
【図１１】
2006171289.tif 000013
【図１２】
2006171289.tif 000014
【図１３】
2006171289.tif 000015
【図１４】
2006171289.tif 000016
【図１５】
2006171289.tif 000017
【図１６】
2006171289.tif 000018
【図１７】
2006171289.tif 000019